(57)【要約】      （修正有）【課題】光色変更を可能とし、発光が安定化し、蛍光粉の使用寿命とその機能が向上し、実用性を大幅に上昇させる改良された発光ダイオード構造の提供。【解決手段】本考案は、第一電極棒、一個以上のチップ、第二電極棒、透光性コロイドおよび蛍光粉を含み、当該第一電極棒の上部は受け皿状を呈し、チップが第一電極の受け皿上に置かれ、第二電極棒上には導線を配し、導線の一端は当該チップへと接続され、透光性コロイドが第一電極棒および第二電極棒の上端を覆う状態、すなわち極性の異なる第一電極棒および第二電極棒の上端部、受け皿部分、チップ、導線が透光性コロイド内に封入されている状態にあり、蛍光粉は透光性コロイド内に均一に分散されているので、発光ダイオードは光色を変更させることが可能で、発光も安定化し、蛍光粉の使用寿命とその機能を向上させるような改良された発光ダイオード構造。【選択図】図２
0003117988.tif 000002
【実用新案登録請求の範囲】
【請求項１】
発光ダイオードに、上部に受け皿部分を有する第一電極棒、第一電極棒の受け皿部分上に置かれた一個以上のチップ、上部に導線３１が配され、当該導線の一端が当該チップに接続されている第二電極棒、第一電極棒および第二電極棒の先端を覆い、異なる極性を持つ第一電極棒および第二電極棒の上端、受け皿部分、チップ、導線を封入している透光性コロイド、透光性コロイド内に均一に分散されている蛍光粉、が含まれており、これをもって、発光ダイオードの光色変更を可能とし、発光の安定性、蛍光粉の使用寿命と機能を向上させることを特徴とする改良された発光ダイオード構造。
【請求項２】
請求項１記載の改良された発光ダイオード構造において、受け皿部分は凹状にへこんだことを特徴とする改良された発光ダイオード構造。
【請求項３】
請求項１記載の改良された発光ダイオード構造において、透光性コロイドは樹脂材で製造されたことを特徴とする改良された発光ダイオード構造。
【考案の詳細な説明】
【技術分野】
【０００１】
本考案は、特に蛍光粉が透光性コロイド内において均一に分散されることにより、発光ダイオードの発光に当たり光色が安定化し、蛍光粉の使用寿命とその機能が向上する等の効果を持ち、各種発光ダイオードまたは類似する結構を有する産品に適用できる改良された発光ダイオード構造に関する。
【背景技術】
【０００２】
図１に示されたように、従来の改良された発光ダイオード構造には以下のものが含まれている。
第一電極棒１０ａ、当該第一電極棒１０ａ上には凹状を呈する受け皿部分１１ａがある。チップ一個以上、当該チップ２０ａは第一電極棒１０ａの受け皿部分１１ａ上に置かれる。第二電極棒３０ａ、当該第二電極棒３０ａには導線３１ａが配され、当該導線３１ａの一端は当該チップ２０ａに接続される。蛍光粉層５０ａ、当該蛍光粉層５０ａはチップ２０ａの上に置かれる。
【０００３】
透光性コロイド４０ａ、当該透光性コロイド４０ａは第一電極棒１０ａおよび第二電極棒３０ａの先端を覆い、異なる極性を持つ第一電極棒１０ａおよび第二電極棒３０ａの上端、受け皿部分１１ａ、チップ２０ａ、蛍光粉層５０ａ、導線３１ａは透光性コロイド４０ａ内に封入されていることになる。
【０００４】
発光ダイオードは光色が変化する特性があるとはいえ、蛍光粉層５０ａはチップ２０ａの上に置かれているため、チップ２０ａが発光するとき、蛍光粉層５０ａとチップ２０ａとの距離が近すぎるため、使用時間約千時間後には蛍光粉層５０ａは熱の作用を受けて機能が約１５％衰弱し、さらには発光ダイオードの使用寿命および光色変更機能に影響を与えるので、実際の使用上は使用者の意にかなったものではなかった。
【考案の開示】
【考案が解決しようとする課題】
【０００５】
本考案の主な目的は、第一電極棒、チップ一個以上、第二電極棒、透光性コロイド、蛍光粉の組合せから設計され、蛍光粉が透光性コロイド内において均一に分散されており、発光ダイオードの光色変更を可能とし、発光が安定化し、蛍光粉の使用寿命とその機能が向上する等の効果を有し、実用性を大幅に上昇させるような発光ダイオード改良結構を提供することである。
【課題を解決するための手段】
【０００６】
請求項１の考案は、発光ダイオードに、上部に受け皿部分を有する第一電極棒、第一電極棒の受け皿部分上に置かれた一個以上のチップ、上部に導線３１が配され、当該導線の一端が当該チップに接続されている第二電極棒、第一電極棒および第二電極棒の先端を覆い、異なる極性を持つ第一電極棒および第二電極棒の上端、受け皿部分、チップ、導線を封入している透光性コロイド、透光性コロイド内に均一に分散されている蛍光粉、が含まれており、これをもって、発光ダイオードの光色変更を可能とし、発光の安定性、蛍光粉の使用寿命と機能を向上させることを特徴とする改良された発光ダイオード構造としている。
請求項２の考案は、請求項１記載の改良された発光ダイオード構造において、受け皿部分は凹状にへこんだことを特徴とする改良された発光ダイオード構造としている。
請求項３の考案は、請求項１記載の改良された発光ダイオード構造において、透光性コロイドは樹脂材で製造されたことを特徴とする改良された発光ダイオード構造としている。
【考案の効果】
【０００７】
本考案は第一電極棒、チップ一個以上、第二電極棒、透光性コロイド、蛍光粉を含み、当該第一電極棒の上部は受け皿状を呈し、チップが第一電極棒の受け皿上に置かれ、第二電極棒上には導線を配し、導線の一端は当該チップへと接続され、透光性コロイドが第一電極棒および第二電極棒の上端を覆う状態、すなわち極性の異なる第一電極棒および第二電極棒の上端部、受け皿部分、チップ、導線が透光性コロイド内に封入されている状態にあり、蛍光粉は透光性コロイド内に均一に分散されているので、発光ダイオードの光色変更を可能とし、発光が安定化し、蛍光粉の使用寿命とその機能が向上する等の効果を有し、実用性を大幅に上昇させる。
【考案を実施するための最良の形態】
【０００８】
図２に示されたように、本考案は発光ダイオードに、凹状を呈する受け皿部分１１がある第一電極棒１０、第一電極棒１０の受け皿部分１１上に置かれたチップ一個以上、導線３１が配され、当該導線３１の一端は当該チップ２０に接続されている第二電極棒３０、第一電極棒１０および第二電極棒３０の先端を覆い、異なる極性を持つ第一電極棒１０および第二電極棒３０の上端、受け皿部分１１、チップ２０、導線３１は透光性コロイド４０ａ内に封入されており、透光性コロイド４０は樹脂で製造されている透光性コロイド４０、透光性コロイド４０内に均一に分散されている蛍光粉５０、を含む改良された発光ダイオード構造である。
【０００９】
上述のような結構を持つ改良された発光ダイオード構造として図２を参照されたい。本考案の特徴は、蛍光粉５０が透光性コロイド４０内に均一に分散されていることにより、光源であるチップ２０と蛍光粉５０の距離を大きくすることを可能にし、チップ２０の熱により蛍光粉５０が重大な影響を被ることを回避しており、本考案が光色変更を可能とし、発光の安定性、蛍光粉５０の使用寿命と機能を向上させ、全体の実用性を増大させることを可能にしている。
【図面の簡単な説明】
【００１０】
【図１】従来の実施例における使用状態図
【図２】本考案における実施例の使用状態図
【符号の説明】
【００１１】
１０    第一電極棒
１０ａ  第一電極棒
１１    受け皿部分
１１ａ  受け皿部分
２０    チップ
２０ａ  チップ
３０    第二電極棒
３０ａ  第二電極棒
３１    導線
３１ａ  導線
４０    透光性コロイド
４０ａ  透光性コロイド
５０    蛍光粉
５０ａ  蛍光粉層
【図１】
0003117988.tif 000003
【図２】
0003117988.tif 000004